Podtech/llm-jp-corpus-v4-ja_patent huggingface dataset:
(57)【要約】【課題】低価格で信頼性の高いデジタルカメラ用のレンズコネクタを提供することを目的とする。【解決手段】（イ）金属製の概略段付き円柱形状で接点・ガイド部（１３）及び接点・抜け止め部（１２）からなるプランジャー（１）をプラスチックスでできた固定モールド（５）に設けた概略円柱状のガイド部（６）及びガイド部（６）より径の大きな支持穴（９）に上下動作の可能な状態で設ける。（ロ）圧縮形で電気導体でできたスプリング、加圧スプリング（３）を接点・抜け止め部（１２）とＦＰＣ（４）に設けられたＦＰＣパッド（１０）の間に設ける。（ハ）ＦＰＣ（４）の底面に剛性の高い素材でできた支持板（１１）を固定モールド（５）にネジ等で固定しもうける。【選択図】図２
2011257720.tif 000002
【特許請求の範囲】
【請求項１】
（イ）金属製の概略段付き円柱形状で接点・ガイド部（１３）及び接点・抜け止め部（１２）からなるプランジャー（１）をプラスチックスでできた固定モールド（５）に設けた概略円柱状のガイド部（６）及びガイド部（６）より径の大きな支持穴（９）に上下動作の可能な状態で設ける。
（ロ）圧縮形で電気導体でできたスプリング、加圧スプリング（３）を接点・抜け止め部（１２）とＦＰＣ（４）に設けられたＦＰＣパッド（１０）の間に設ける。
（ハ）ＦＰＣ（４）の底面に剛性の高い素材でできた支持板（１１）を固定モールド（５）にネジ等で固定しもうける。
以上の構成のカメラレンズ用コネクタ。
【請求項２】
接点・ガイド部（１３）の先端形状を中心に平面のある概略台形型とした請求項１のカメラレンズ用コネクタ。
【請求項３】
加圧スプリング（３）の両端の終端部を軸の中心側に寄せた形態とした請求項１もしくは請求項２のカメラレンズ用コネクタ。
【発明の詳細な説明】
【技術分野】
【０００１】この発明は、レンズの交換が可能なデジタルカメラのレンズの取付部に用いられているコネクタに関するものである。
【背景技術】
【０００２】  従来、主流として用いられているものは図１のように一般的に用いられているプローブピンと同じものでプランジャー（１）とバーレル（２）及びコイルスプリングでできた加圧スプリング（３）より主に構成されており、プランジャー（１）の先端は概略球面形状でカメラレンズのブロックに組み込まれた端子部とは加圧スプリング（３）のバネ力により機械的に接触し、バーレル（２）の中程はプローブピンを固定するプラスチック製の固定モールド（５）に圧入固定され、下側のリード部は底面に取り付けられたフレキシブルプリントサーキットボード（通称ＦＰＣ）の貫通穴を通してＦＰＣパッド（１０）とはんだ付けにて接続されて用いられていた。
【発明の開示】
【発明が解決しようとする課題】
【０００３】そのためには次のような問題が有った。
（イ）プローブピンはこれを固定するためのバーレルをモールドブロックに圧入固定する必要があるがバーレルの一端をＦＰＣにはんだつけする際にバーレルの全体が加熱され、モールドブロックの圧入部が熱膨張したり溶けたりするために圧入が緩くなり、接着剤等を用いて補強する必要があった。
（ロ）０．２ミリ程度の厚さのＦＰＣへの半田付け作業が必要であるため作業性や信頼性に問題が在った。
（ハ）プローブピンの部品点数は最低３点でありしかも加工が難しいため単品としても高価であった。
【課題を解決するための手段】
【０００４】プランジャーは従来のものと類似の形状とし、コイルスプリングは電気導体および加圧部材としての２機能をもたせ、一端をプランジャーの底面、他端をＦＰＣに設けたパッドにバネ力による加圧接触とし、ＦＰＣの裏面にはコイルスプリングから生じる加圧力を支えるために支持板を設けた。
【発明の効果】
【０００５】極数分のプランジャー、コイルスプリング及び一枚の支持板から主に構成され、これらは形状が単純なため製造が容易であり、複雑な組立を必要としないため従来品に較べ安価である。【０００６】ＦＰＣとの接続はコイルスプリング及び支持板による機械的な一括・加圧接触としたため作業性が良好で安価でありしかも半田付けのような不確かさやモールドに対する損傷がないため信頼性が高い。【０００７】相手との接触時のプランジャーの上下動作の際には横からの力が作用しながら下方に押し込まれるが、金属製のプランジャーとプラスチックスでできた固定モールドに設けられたガイド部との摩擦であるため従来の金属同士の摩擦に較べ摩耗が少なくスムーズな動作が可能である。
【発明を実施するための最良の形態】
【０００８】以下に本発明の実施の形態を、図２、図３を用いて説明する。
（イ）金属製の概略段付き円柱形状で接点・ガイド部（１３）及び接点・抜け止め部（１２）からなるプランジャー（１）をプラスチックスでできた固定モールド（５）に設けた概略円柱状のガイド部（６）及びガイド部（６）より径の大きな支持穴（９）に上下動作の可能な状態で設ける。
（ロ）圧縮形で電気導体でできたスプリング、加圧スプリング（３）を接点・抜け止め部（１２）とＦＰＣ（４）に設けられたＦＰＣパッド（１０）の間に位置ズレなく設ける。
（ハ）ＦＰＣ（４）の底面に剛性の高い素材でできた支持板（１１）を固定モールド（５）にネジ等で固定しもうける。
本案は以上の構造で、使用の際は、必要とする極数分のプランジャー（１）、加圧スプリング（３）、及び極数分の配線がされた１枚のＦＰＣ（４）、及び１枚の支持板（１１）を固定モールド（５）に組み込みネジ等で固定された状態で、レンズ側ブロック（１４）と組合わされ使用される。レンズ側ブロック（１４）に組み込まれたレンズブロック側接点（１５）とは回転動作及び斜面を介してプランジャーが下側に押し込まれ接触する形態となる。この際接点・ガイド部（１３）の先端の形状は球面状のほかに摩擦力や摩耗を減らすために中央に平面のある台形状でも構わない。
【図面の簡単な説明】
【０００９】
【図１】従来の例の側面からみた断面図である。
【図２】本発明の側面からみた断面図である。
【図３】本発明のレンズ側ブロックがプランジャーを押し込んでいる途中の側面より見た断面図である。
【符号の説明】
【００１０】１．プランジャー
２．バーレル
３．加圧スプリング
４．ＦＰＣ
５．固定モールド
６．ガイド部
７．圧入部
８．半田付け部
９．支持穴
１０．ＦＰＣパッド
１１．支持板
１２．接点・抜け止め部
１３．接点・ガイド部
１４．レンズ側ブロック
１５．レンズブロック側接点
【図１】
2011257720.tif 000003
【図２】
2011257720.tif 000004
【図３】
2011257720.tif 000005
(57)【要約】      （修正有）【課題】不良品の検査が可能な表面処理装置を提供する。【解決手段】容器１及び電極２の被加工物との接触面の材質を、被加工物よりも硬質とすることにより電極２の損傷を抑制し、残留品の発生を防止する。装置の構造を雰囲気と遮断する構造とすることにより雰囲気条件の変動による品質面への悪影響を回避し、耐食性のバラツキの発生を防止する。被加工物の残留に対しては、金属探知装置４によって容器内部を、専用のマイナス電極を用いることで全ロットを対象に検査する。耐食性のバラツキに対しては、外観検査装置を用いて高精度に検査する。【選択図】図１
2011257367.tif 000002
【特許請求の範囲】
【請求項１】
被加工物との接触面を，被加工物よりも硬質の材料で製作した表面処理用マイナス電極
【請求項２】
被加工物との接触面を，被加工物よりも硬質の材料で製作した表面処理用容器
【請求項３】
表面処理用容器に対して非固定の表面処理用マイナス電極
【請求項４】
伸縮機能を有する表面処理用マイナス電極
【請求項５】
雰囲気を遮断する表面処理装置用の雰囲気遮断壁
【請求項６】
被加工物の残留を発見する機能を有する表面処理用検査装置
【請求項７】
被加工物の外観色を識別する機能を有する表面処理用検査装置
【請求項８】
請求項１〜８のいずれかを有する表面処理装置
【発明の詳細な説明】
【技術分野】
【０００１】  本発明は，精密機能部品の表面処理装置に関するものである．
【背景技術】
【０００２】  従来の表面処理装置における，被加工物との接触面の材質は，
▲１▼容器内部の合成樹脂製の表面，と，
▲２▼電極の先端の銅製表面，と，
▲３▼電極の先端以外を被覆している合成樹脂製表面，などであり，
精密で鋭利な鉄製の被加工物との接触面としては，適していない．
また装置の構造は，
▲４▼上部が常に開放，されているため，
雰囲気条件の変動が品質の変動に直結せざるを得ない構造になっている．
更に，不良品の流出を防止するべき品質検査工程は，
▲５▼目視検査が主流，であるため完全ではない．
【発明の開示】
【発明が解決しようとする課題】
【０００３】  以下Ａ）Ｂ）Ｃ）の課題が顕在している．
Ａ）被加工物の残留
装置と被加工物との接触面（前記▲１▼▲２▼▲３▼）の材質が，鉄製の被加工物よりも軟質であるため，精密で鋭利な被加工物によって容易に摩耗・損傷され，その損傷部に被加工物が挟まるなどして残留する．
Ｂ）耐食性のバラツキ
装置の構造は，▲４▼上部が常に開放されている．そのため，雰囲気条件の変動が，被加工物の表面品質の変動に直結する．主に温湿度条件等の変動が，被加工物表面の錆・色ムラなどの事象を発生させているのである．錆・色ムラなどの事象は，部品の表面機能としては最も重要で許容できない，耐食性のバラツキ，のことである．
Ｃ）不良品の顧客への流出
加工後の検査方式は，▲４▼目視検査が主流であるため精度が低く，顧客への不良品流出が後を絶たない．
【課題を解決するための手段】
【０００４】  前記Ａ）Ｂ）Ｃ）それぞれに対して以下ａ）ｂ）ｃ）の手段を講ずる．
ａ）装置の被加工物との接触面の材質を，被加工物よりも硬質にする．
これによって装置の摩耗・損傷を回避し，Ａ）被加工物の残留を発生防止する．
ｂ）装置の構造を，閉鎖構造とする．
これによって，雰囲気の影響を遮断し温湿度条件の変動によるＢ）耐食性のバラツキ（錆・色ムラなどの事象）を発生防止する．
ｃ）検査工程を，専用の検査装置によって高精度化する．
これによって，万が一Ａ）あるいはＢ）が発生した場合でも，Ｃ）不良品の顧客への流出を防止する．
具体的には，まず，Ａ）被加工物の残留という事象に対しては，金属探知装置によって容器内部を，専用のマイナス電極を用いることで電極表面を，それぞれ全ロットを対象に検査する．次に，Ｂ）耐食性のバラツキ（錆・色ムラなどの事象）に対しては，専用の外観検査装置を用いて高精度に検査する．
【発明の効果】
【０００５】  本発明の効果は，表面処理装置で多発している前記Ａ）Ｂ）Ｃ）の課題を完全に解決し，不良品の顧客への流出をゼロにすることである．以上を簡略すると，以下［表１］の通りである．
【表１】
2011257367.tif 000003
【発明を実施するための最良の形態】
【０００６】  まず，被加工物と装置の接触面，つまり容器内面とマイナス電極の材質を，被加工物よりも硬質の材料で製作する．
次に，装置の構造は，閉鎖構造とする．
更に，検査工程は，容器用には金属探知装置を用い，マイナス電極用にはマイナス電極自体を収納式とすることで，被加工物用には外観検査装置を用い，それぞれ行う．
最後に，金属探知装置の被加工物以外への反応防止，つまり運用面での異常を防止するために，以下２点を実行する．１点目は，従来は容器に固定されていた電極を，容器と一体型とせずに可動式とすることで不要時は容器と分離・待機できる構造とする．２点目は，容器およびその周辺部品の材質を，金属探知装置に反応しない材質とする．
【図面の簡単な説明】
【０００７】
【図１】  本発明の図面である．
【符号の説明】
【０００８】１  容器
２  電極
３  遮断壁
４  金属探知装置
【図１】
2011257367.tif 000004
(57)【要約】      （修正有）【課題】薬の飲み忘れや二重飲みを防止するために、処方箋袋に取付けて服用した日時を記録することができる簡易時計であり、クリップの開閉だけでリセットすることができて繰り返し使用可能な日時表示器を提供する。【解決手段】時刻記録クリップの本体１はプラスティック製であり、この本体１の正面には、現在の日時と最終記録日時を表示する液晶パネル２が設置されている。背面には、クリップが突起しており、開閉時にスイッチとして稼働する。クリップの開閉で自動的にリセットされ前回飲用した日時を繰り返し表示させることができる。【選択図】図１
2011257369.tif 000002
【特許請求の範囲】
【請求項１】
開閉時刻を記録し表示することを特長とする時刻記録表示器。
【請求項２】
クリップの開閉で時刻をリセットし、現在時刻を記憶するクリップ型スイッチ。
【発明の詳細な説明】
【技術分野】
【０００１】  本発明は薬の飲み忘れや二重飲みを防止するためのもので、処方箋の袋を挟み、開閉時の時刻を記録する開閉時刻記録表示器に関する。
【背景技術】
【０００２】  薬を飲んだか飲み忘れたか、薬は無意識に飲んでいる場合もあり、決められた時間に飲用したか悩むことがある。前回の飲用時間を知ることができないという問題もある。
【先行技術文献】
【特許文献】
【０００３】
【特許文献１】特開２００９−１０９４７０号公報
【発明の概要】
【発明が解決しようとする課題】
【０００４】  飲用のため処方箋を開閉する際に、服用の形跡や前回飲用時刻が確認できることが望まれ、処方箋を開閉する際に時刻記録できることを課題とする。
【課題を解決するための手段】
【０００５】  以上の課題を解決するために、第一発明はクリップを閉じる行為により現在時刻を記録するスイッチ稼働付きクリップである。また、第二発明は、現在の時刻と、記録した時刻を表示する時刻表示器である。
【発明の効果】
【０００６】本発明の時刻記録クリップは、以下に記載されるような効果を有する。【０００７】前回クリップを開閉した記録時刻から薬の飲み忘れと勘違いした場合等の二重飲みを防止できる。【０００８】さらにクリップの開閉で記憶日時がリセットされるので操作しやすい。【０００９】構造が単純なために耐久性がありコストが掛からない等の利点がある。
【図面の簡単な説明】
【００１０】
【図１】この発明の一実施形態を示す斜視図である。
【図２】時刻記録クリップの利用図
【発明を実施するための形態】
【００１１】  この発明の一実施形態を、図１に示す。
時刻記録クリップの本体１はプラスティック製であり、この本体１の正面には、現在の日時と最終記録日時を表示する液晶パネル２が設置されている。背面には、クリップが突起しており、開閉時にスイッチとして稼働する。
【００１２】「実施形態の効果」
この実施形態によれば、クリップ３の綴じる働きで、スイッチの誤作動が起こり難い。したがって最終の記録時刻が残る。
【符号の説明】
【００１３】１  時刻記録クリップ本体    ２  液晶パネル
３  クリップ（記録・リセットスイッチ）
【図１】
2011257369.tif 000003
【図２】
2011257369.tif 000004
(57)【要約】【課題】本発明は、砕石の運搬量を減らす山岳歩道の構造の提案にある。【解決手段】本発明は、山岳歩道の構造において、砕石による基礎部と基礎部上に設けた荷重支持部と、荷重支持部上に敷設した天板部と天板部上に敷設した砕石部からなり、荷重支持部は踏み圧部と中空部からなる樹脂製のブロックを配置し、前記中空部には土嚢を配設し、荷重支持部から砕石部までを網体で覆った山岳歩道である。砕石を運搬する量を減少させるため、樹脂製のブロックを使用し発生土を利用するようにした。【選択図】図１
2011190581.tif 000002
【特許請求の範囲】
【請求項１】
山岳歩道の構造において、砕石による基礎部と基礎部上に設けた荷重支持部と、荷重支持部上に敷設した天板部と天板部上に敷設した砕石部からなり、荷重支持部は踏み圧部と中空部からなる樹脂製のブロックを配置し、前記中空部には土嚢を配設し、荷重支持部から砕石部までを網体で覆った山岳歩道。
【発明の詳細な説明】
【技術分野】
【０００１】
本発明は、山岳歩道の構造に属する。
【背景技術】
【０００２】
山岳歩道はハイキングあるいは憩いを求める人々が大勢利用するようになり、整備が進められている。各種材料を用いた山岳歩道の整備があるが、特開２０００−２３４３０２には逆Ｕ字形であって側壁の高さがそれぞれ異なる部材で側壁の高い部分と天上部に開口を有するものが提案されている。また一般にはフトン籠に砕石を充填し階段状に配置した例が普及している。このフトン籠による山岳歩道はその建設あるいは補修に多量の砕石およびフトン籠を運搬する必要がある。運搬方法はヘリコプターを利用して麓、中腹、山上まで運び後は人力により整備することになる。
特に砕石は重量物でありかつ量が多くなるためその費用がかさむ難点がある。
【先行技術文献】
【特許文献】
【０００３】
【特許文献１】特開2000-234302
【発明の開示】
【発明が解決しようとする課題】
【０００４】
本発明は、砕石の運搬量を減らす山岳歩道の構造の提案にある。
【課題を解決するための手段】
【０００５】
本発明は、山岳歩道の構造において、砕石による基礎部と基礎部上に設けた荷重支持部と、荷重支持部上に敷設した天板部と天板部上に敷設した砕石部からなり、荷重支持部は踏み圧部と中空部からなる樹脂製のブロックを配置し、前記中空部には土嚢を配設し、荷重支持部から砕石部までを網体で覆った山岳歩道である。砕石を運搬する量を減少させるため、樹脂製のブロックを使用し発生土を利用するようにした。
【発明の効果】
【０００６】
本発明は、樹脂製のブロックを使用し発生土を利用するようにしたため以下の効果がある。ふとん籠である網体に充填する砕石の運搬量を減少させることができる。
【図面の簡単な説明】
【０００７】
【図１】山岳歩道の構造を示す概念図の一例である。
【図２】山岳歩道の構造を示す概念図の他の例である。
【図３】図１の構造を並べた構成した山岳歩道の概念図である。
【図４】上部部材の他の例を示す概念図である。
【図５】山岳歩道の上端部の砕石部を示す一例である。
【図６】樹脂製のブロックを示す概念図である。
【発明を実施するための形態】
【０００８】
以下、本発明を図により詳細に説明する。
図１ａは本山岳歩道の平面図、図１ｂはA−A’線での断面図を示している。
図２ａは本山岳歩道の他の例を示す平面図、図２ｂはB-B’線での断面図を示している。図１は、図６ａに示す樹脂製ブロックＡを用いた山岳歩道であり、図２は、図６ｂに示す樹脂製ブロックＢを用いた例である。
ブロックＡもブロックＢも筒状の踏み圧部と筒の内部及びその外部に中空部である空間を有している。
【０００９】
上記山岳歩道はいずれも砕石による基礎部を設け、その上に樹脂製ブロックを配設し、荷重支持部としている。樹脂製ブロックの筒部による踏み圧部によって登山者の踏み圧を支え、中空部に山岳歩道の敷き設に伴い発生する発生土を充填している。発生土は洗掘による流出を防ぐため土嚢として充填する。
図では中空の筒部には発生土を充填するように示してないが、筒部の強度補完のため充填することが好ましい。
【００１０】
ブロックの筒状部は上部に開口し孔となっているため、それを防ぐためブロックの上部を天板部として不職布等の土木用シートあるいは樹脂製の板で覆うことが好ましい。上記したように筒状部に発生土を充填してもよい。
天板部の上には砕石部として発生土あるいは砕石を敷き設する。雨水による流出を防ぐため好ましくは砕石を使用することが好ましい。
【００１１】
荷重支持部から砕石部まで網体で一体的に包み、砕石が流出しないようにする。図では網体はきっちりと荷重支持部から砕石部まで包んでいるが、荷重支持部を構成するブロックの周囲に砕石を充填するようになる、大きめの網体でも使用可能である。
【００１２】
図３は階段状に並べ山岳歩道を構成した概念図である。
砕石部は、図５示すように、図４に示す保護部材を用いて砕石の移動を制限することでさらに砕石部の流出を抑えることができる。保護部材は図に示すとおり複数の突状の踏み圧部をその下方でリブにより連結したものである。踏み圧部間の空間に砕石を充填し、突部の踏み圧部により砕石の移動を制限するものであり一般的に芝生の保護あるいは砂利の散逸防止に使用されているものが使用可能である。
【００１３】
樹脂製のブロックは図６に示したものに限らず、上からの荷重に耐え、配設した時に、空洞部を形成し、発生土を充填可能な形状のものであれば使用可能である。雨水の流出抑制のための貯留浸透槽の形成に使用される充填材が使用可能である。
【産業上の利用可能性】
【００１４】
上記のように構成された山岳歩道は、登山用の歩道に限らず、斜面に設ける歩道にも使用できる。
【符号の説明】
【００１５】
１  山岳歩道
２  荷重支持部
３  上板部
４  砕石部
５  網体
６  樹脂製ブロック
６１  踏み圧部
６２  中空部
７  基礎部
８  保護部材
【図１】
2011190581.tif 000003
【図２】
2011190581.tif 000004
【図３】
2011190581.tif 000005
【図４】
2011190581.tif 000006
【図５】
2011190581.tif 000007
【図６】
2011190581.tif 000008
(57)【要約】【課題】  本発明は継手がその契合後抜けたり外れたりしない手段の提案にある。【解決手段】  契合用の孔を有する樹脂製盤体を契合する継手であって、本継手は樹脂製で継手１と継手２との組み合わせからなり、継手1は平板上に突出する環状に配列された複数の柱部１と当該柱部の頂部に設けた舌片１からなり、前記樹脂製盤体の契合用孔に柱部１が挿入され舌片1が樹脂製盤体を抑えることで一次契合とし、継手２は平板上に突出する環状に配列された複数の柱部２と当該柱部の頂部に設けた舌片２からなり、かつ柱部２は柱部１と干渉しない位置に設け、前記一次契合の環状に配列された柱部１の中心に柱部2を挿入され舌片２が樹脂製盤体を反対側から抑えることで二次契合させる樹脂製盤体を契合する継手である。【選択図】図１
2011190580.tif 000002
【特許請求の範囲】
【請求項１】
契合用の孔を有する樹脂製盤体を契合する継手であって、本継手は樹脂製で継手１と継手２との組み合わせからなり、継手1は平板上に突出する環状に配列された複数の柱部１と当該柱部の頂部に設けた舌片１からなり、前記樹脂製盤体の契合用孔に柱部１が挿入され舌片1が樹脂製盤体を抑えることで一次契合とし、継手２は平板上に突出する環状に配列された複数の柱部２と当該柱部の頂部に設けた舌片２からなり、かつ柱部２は柱部１と干渉しない位置に設け、前記一次契合の環状に配列された柱部１の中心に柱部2を挿入され舌片２が樹脂製盤体を反対側から抑えることで二次契合させる樹脂製盤体を契合する継手。
【発明の詳細な説明】
【技術分野】
【０００１】
本発明は、樹脂製盤体を契合する継手技術に属する。
【背景技術】
【０００２】
従来、平板状の盤体4個をそれらの隅を突合せて契合させる、あるいは2個をそれらの辺部を突合せて契合するするオスメス継手は、平板の両面あるいは片面に棒状の突状部を設けて盤体部の表面に設けた孔にその棒状部を差し込むことで契合している。特開2009-114736にはメス継手である貫通孔の後方に鞘を設け、挿入された突状部をその鞘で補強する例が開示されている。契合後簡単に外れない強固な契合が得られる継手が求められている。
【先行技術文献】
【特許文献】
【０００３】
【特許文献１】特開2009-114736
【発明の開示】
【発明が解決しようとする課題】
【０００４】
オスメス継手はその契合を確実とするためオス継手の上部を笠状にして挿入後開いた笠によって抜けないようにしている。挿入時は閉じ、挿入後開く笠状のため薄くする必要がある。そのためその強度には限界がある。本発明は、継手がその契合後抜けたり外れたりしない手段の提案にある。
【課題を解決するための手段】
【０００５】
本発明は、契合用の孔を有する樹脂製盤体を契合する継手であって、本継手は樹脂製で継手１と継手２との組み合わせからなり、継手1は平板上に突出する環状に配列された複数の柱部１と当該柱部の頂部に設けた舌片１からなり、前記樹脂製盤体の契合用孔に柱部１が挿入され舌片1が樹脂製盤体を抑えることで一次契合とし、継手２は平板上に突出する環状に配列された複数の柱部２と当該柱部の頂部に設けた舌片２からなり、かつ柱部２は柱部１と干渉しない位置に設け、前記一次契合の環状に配列された柱部１の中心に柱部２を挿入され舌片２が樹脂製盤体を反対側から抑えることで二次契合させる樹脂製盤体を契合する継手である。
契合を強固なものとするため、契合を２重とした。
【発明の効果】
【０００６】
本願発明は、一次契合と二次契合を合せることにより強固な契合が得られる。
【図面の簡単な説明】
【０００７】
【図１】は、継手１を示す概念図である。
【図２】は、継手２を示す概念図である。
【図３】は、一次契合と二次契合を示す平面図である。
【図４】は、一次契合と二次契合を示す断面図である。
【図５】は、契合される盤体の契合孔の位置を示している。
【図６】は、本継手が適用できるブロックの例を示す。
【発明を実施するための形態】
【０００８】
図1に示すように、本発明の継手１は平板に４箇所棒状の突部１が設けられている。突部の頂部には外側に向く舌部１が設けられている。従い、４個の舌部が笠状に設けられることとなる。図１ａは、平面図、図１ｂは断面図である。突部１は、図では４個設けられているが、その設けられる箇所ごとに２個以上環状に設けられる。
【０００９】
図２に示すように、本発明の継手２は平板に４箇所棒状の突部２が設けられている。突部２の頂部には外側に向いた舌部２が設けられている。従い、４個の舌部が笠状に設けられることとなる。図２ａは、平面図、図２ｂはA-A’線での断面図である。突部２は、図では４個設けられているが、その設けられる箇所ごとに２個以上環状に設けられる。突部２は契合した時、突部１と干渉しないように４５度位置を変えて設けられている。
【００１０】
継手１及び継手２は突部の位置関係が異なるだけで同一に表現されているが、一次契合時、二次契合時に互いに干渉しない位置形状であれば突部の形状、舌片の形状、位置は本図に関わりなく適時決めることができる。
【００１１】
図３は、本継手の一次契合、二次契合の状態を概念的に示す平面図である。
突部１及び突部２が４５度ずれて配置されているため舌片の位置で分るように互いに干渉することなく契合がなされる。
【００１２】
図４は、本継手の一次契合、二次契合の状態を概念的に示す断面図である。
図４ａは一次契合の状態を示している。樹脂製であるため、盤体に設けた契合孔に突部が挿入される時、舌片が内側に曲がることで挿入され、舌片が契合孔から出ると再び広がることで契合がなされる。図４ｂは二次契合の状態を示す概念図である。本来４５度ずれているが便宜上同じ向きとして表示している。樹脂製であるため、盤体に設けた契合孔に突部が挿入される時、舌片が内側に曲がることで挿入され、舌片が契合孔から出ると再び広がることで契合がなされることは一時契合のときと同じである。
【００１３】
図５は、契合すべき盤体に設けた契合孔の例を示す概念図である。図５ａは、盤体の片同士を突き合せて契合する例であり、図５ｂは、端部をつき合わせて４個の盤部を契合する例である。
【００１４】
図６は本継手を使用する盤体の例であり、雨水の流出抑制あるいは利用のため使用する、雨水貯留浸透槽用に使用される充填材として使用されるブロックである。
【産業上の利用可能性】
【００１５】
雨水貯留浸透施設の充填材であるブロックの契合用に使用できる。
【符号の説明】
【００１６】
１  継手１
１１  突部１
１２  舌部１
２  継手２
２１  突部２
２２  舌部２
３  盤部
３１  盤部に設けた契合孔
４  ブロック
【図１】
2011190580.tif 000003
【図２】
2011190580.tif 000004
【図３】
2011190580.tif 000005
【図４】
2011190580.tif 000006
【図５】
2011190580.tif 000007
【図６】
2011190580.tif 000008
(57)【要約】【課題】地球温暖化を防ぐため、京都議定書が作られ、二酸化炭素などの温室効果ガスの排出削減を義務付けられている。いかにして温暖化を最小限に抑えることができるかが全世界の課題である。【解決手段】自然エネルギーの利用は本来のエネルギーを毀すことなく活用することが必要で、現在、石油エネルギーに依存しているところが大で、石油を燃焼させ地球温暖化とＣＯ２の公害を発生させ、自然環境を破壊し、強いては地球を蝕んでいるのが現実である。そのためには、小さいエネルギーであっても自然環境に優しいエネルギーが必要で、空気エネルギーは無限にあり無臭、無害で新しいエネルギーとして大いに活用すべきである。【選択図】図１
2011190794.tif 000002
【特許請求の範囲】
【請求項１】
風車（カザグルマ）の羽根に空気を押し当て、空気の抵抗力で、風車を回転させ、電気を起こす発電機を乗物（自動車・電車・船舶等）の車体に取り付け、乗物が自走するエネルギーを利用して、その電気を蓄電池に充電すること。
【請求項２】
請求項１の乗物が牽引する機体に本案の風車付発電装置を取り付けること。
【発明の詳細な説明】
【技術分野】
【０００１】自然エネルギーで電気を起こすものには水力発電、火力発電等多種あるも、電気を起こす目的は皆同じである。本案と類似しているのが風力発電である。然し、風力発電は地上に固定し風が吹かないと発電はできない。【０００２】本案と風力発電と大きく相違するところは、風力発電は風の力を応用しているのに、本案は空気抵抗の力を応用していることで根本的に原理が違う。風力発電のように風がなくとも乗物の機体に風車を取り付け、乗物が移動することにより発生する空気抵抗力を羽根車にあて、電気を発生させているところが、大きく異なる。又、発電構造も小型である。
【背景技術】
【０００３】現在、石油エネルギーに依存するところが高く、石油資源は無限にあるものでもなく、いずれは皆無になるが原油を利用することにより、ＣＯ２の公害が最も問題で、地球温暖化や大気汚染など、早急に改良技術が求められる。【０００４】現在の風力発電は、いかにして小型化し微風でも回転させ発電させる技術と研究が先行されているが、本案は大きな風力に耐えられる堅固な壊れない小型発電機を開発し、大きな発電を生み出すことにある。
本案は公害のない自然エネルギーであり、空気、すなわち大気圧を利用し物体が空気抵抗力を電気に変えるものである。
【発明の開示】
【発明が解決しようとする課題】
【０００５】公害のないエネルギーの開発は、自然そのままのエネルギーを壊さないで利用することが大切で、美しい地球を守って人間社会に利用されなければならない。本案のエネルギーは、自然そのままのエネルギーを利用するものである。
【課題を解決するための手段】
【０００６】本案のエネルギーは小さいが、無臭、無煙、無害で、空気（気圧）の抵抗力は無限にあり、大いに活用されるべきである。
【発明の効果】
【０００７】今の自動車産業界は、ガソリン車から電気自動車に変わる時代に入り、環境に優しい公害のない自動車が求められている。【０００８】本案は日常使用している乗物が目的地まで移動するエネルギーを無駄にすることなく、そのエネルギーを利用し、風車を回転させて電気を起こし、その電気を充電するもので電気自動車には充電は欠かせない。【０００９】例えば、現在家庭のコンセントからわずか３０分で充電ができ、１回の充電で３００Ｋｍを走行できる電気自動車が開発されており、本案のような乗物が自走するエネルギーで風車を回転させて１００Ｖの電気を起こす機能があれば最初の蓄電池さえあれば、走行中に消費した電力を生みだすことができ、完全な「風車付電気自動車」となり、発明の効果は充分にある。【００１０】又、風力発電機で５枚羽根、ローターの直径が１ｍ、耐風速６０ｍ／ｓｅｃ最大出力２８０Ｗの風力発電機が開発されている。【００１１】乗物が走る速さに異なるが、おおよそ時速７０Ｋｍで走った場合、風圧は約２０ｋｇ重／ｍ２のエネルギーを発生させることができ、本案の発電機が１００Ｖを生み出すエネルギーは充分にある。
【発明を実施するための最良の形態】
【００１２】本案は乗物が自走する力を利用し、風車を空気に押し当て空気の抵抗力で電気を起こすので、風車の大きさ、型は特定しない。又、乗物の型、大きさにより風車を取り付ける個所も異なるので、最も効率のよい型であればよい。【００１３】例えば、図１に示すように自動車（トラック）の運転席の上部の屋根にアングルを設え、そこに風車と発電機（セット）据え付け、荷台にバッテリーをのせて、その間を発電機よりバッテリーに電気を送り充電する。【００１４】又、例として図２のように、車体の長いバス、電車等には最前の個所に風車を設えることも良いし、車体の屋根にいくつも取り付けることも良い。【００１５】風車の羽根は例えば図３のように
（１）は扇風機のような型
（２）は水車のような型
（３）は風力計のような型
いろいろあるも羽根の枚数も特定しない。
【産業上の利用可能性】
【００１６】本案は乗物が自走するときのエネルギーで発生する空気の抵抗力を、風車を使って電気エネルギーを起こすもので、電気自動車にはバッテリーは欠かせない。クリーンエネルギーとして期待は大きい。
【図面の簡単な説明】
【００１７】
【図１】風車と発電機を一体として組合せた機械を、自動車の運転台の上にアングルを設けたところに取付け、荷台にバッテリーを設けた本案の全体図の一例
【図２】乗物が、電車又はバス等車体が長いものは、最前部に発電機を取り付けた一例
【図３】羽根の主な型の例（特定の型は指定しない）  （１）扇風機のような羽根の図  （２）水車のような羽根の図  （３）風力計のような羽根の図
【符号の説明】
【００１８】１  風車
２  発電機
３  制御盤
４  変圧器
５  充電機
６  蓄電池（バッテリー）
【図１】
2011190794.tif 000003
【図２】
2011190794.tif 000004
【図３】
2011190794.tif 000005
(57)【要約】【課題】  雨水、融雪水を貯水槽に貯めて使うのは、設置場所と設置費の問題があり、容易に行うことができない。【解決手段】  本体Ａの上部にオーバーフロー管Ｂを設け降水量が多い時でも屋根側に水が溢れない構造にする。また台風など降水量が著しく多い時や長期使用しないときの為に、ドレンバルブＤを設けた上、雨水、融雪水を貯水槽に貯める構造とする。貯水槽下部に取り出し配管をして、屋外または屋内に蛇口Ｃを設けて水を使用する。【選択図】図１
2011190668.tif 000002
【特許請求の範囲】
【請求項１】
家屋構造における、無落雪屋根等の集約縦配管のスペースを利用して、雨水、融雪水を貯水するための貯水槽を設置して、水を使用する。
【請求項２】
請求項１により、既設の集約縦配管を貯水槽型に改造するもの。
【発明の詳細な説明】
【技術分野】
【０００１】  この発明は雨水、融雪水を貯蔵する方法に関するもの。
【背景技術】
【０００２】  住宅における屋根の雨水、融雪水を一カ所に集めて排水する構造。
【先行技術文献】
【特許文献】
【０００３】
【非特許文献】
【０００４】
【発明の概要】
【発明が可決しようとする課題】
【０００５】  雨水、融雪水を貯水漕に貯めて使うのは、設置場所と設置費の問題があり、容易に行うことが、できいないのが課題である。
【課題を解決するたの手段】
【０００６】  この課題を解決するために、第一発明は無落雪屋根等の、集約縦配管のスペースを利用して、雨水、融雪水を貯水するための貯水槽を設置して、水を使用する。第二発明は、既設の集約配管を貯水槽型配管に改造すること。
【発明の効果】
【０００７】  第一発明、又は第二発明により、新たに設置場所がいらなくて、設置費も安価できることで、雨水、融雪水を貯めて使うことが安易にできる。
【図面の簡単な説明】
【０００８】
【図１】  第一発明の一実施形態を示す断面図である。
【図２】  第二発明の一実施形態を示すもので、オーバーフロー配管を集約縦配管の外部に設けたものの断面図である。
【図３】  第二発明の一実施形態を示すもので、オーバーフロー配管を集約縦配管の内部に設けたものの断面図である。
【発明を実施するための形態】
【０００９】  この発明の一実施形態を図１に示す。集約縦配管型貯水槽ＡにＧＬより上に底面を設け、屋根の取り入れ口近くにオーバーフロー管Ｂの上部があり、この間が貯水槽の容量となり、底面に取り出し配管を設けて、屋内外で、蛇口等Ｃにより雨水、融雪水を使用する。
「他の実施形態」
図１の実施形態では屋根側の取り入れ口に合わせて円筒型にしているが、容量を多くするために角筒型など、形状を変えても良い。
【符号の説明】
【００１０】  Ａ  集約縦配管型貯水槽本体
Ｂ  オーバーフロー管
Ｃ  屋内外設置蛇口等
Ｄ  ドレンバルブ
【図１】
2011190668.tif 000003
【図２】
2011190668.tif 000004
【図３】
2011190668.tif 000005
(57)【要約】      （修正有）【課題】車輪が継ぎ目を通過の際、レールに衝撃を与えるのを防止して衝撃音を発生させない。【解決手段】車輪１のテーパー３と局所サイドレール２の傾斜面４は同一の勾配とする。車輪１のフランジ５をレール６に接触させ、局所サイドレール２の傾斜面４がフランジ５の先端部に接触する高さを局所サイドレールの設置寸法とする。レールの継ぎ目の位置に、この設置寸法で、従来のレールの継ぎ目連結の方法を兼用した一体化構造で局所サイドレール２を設置する。【選択図】図１
2011190666.tif 000002
【特許請求の範囲】
【請求項１】
図１，のように、車輪▲１▼のテーパー▲３▼と局所サイドレール▲２▼の傾斜▲４▼は同一勾配とする。
【請求項２】
図１，のように、車輪▲１▼のフランジ▲５▼をレール▲６▼に接触させ、局所サイドレール▲２▼の傾斜▲４▼面がフランジ▲５▼の先端部に接触する高さを局所サイドレールの設置寸法とする。
【請求項３】
レールの継ぎ目の位置に、この設置寸法で、従来のレールの継ぎ目連結方法を兼用した図１のような一体化構造で局所サイドレール▲２▼を設置する。
【発明の詳細な説明】
【技術分野】
【０００１】本発明は、鉄道レールの継ぎ目で発生する衝撃音を防止する方法に係るものである。
【背景技術】
【０００２】従来は、走行中の車輪が、継ぎ目のレールに衝撃を与えて衝撃音を発生する障害があった。
【発明の開示】
【発明が解決しようとする課題】
【０００３】車輪が継ぎ目を通過の際、レールに衝撃を与えるのを防止して衝撃音を発生させない。
【課題を解決するための手段】
【０００４】図１，のように、車輪▲１▼のテーパー▲３▼と局所サイドレール▲２▼の傾斜▲４▼は同一の勾配とする。【０００５】図１，のように、車輪▲１▼のフランジ▲５▼をレール▲６▼に接触させ、局所サイドレール▲２▼の傾斜面▲４▼がフランジ▲５▼の先端部に接触する高さを局所サイドレールの設置寸法とする。【０００６】レールの継ぎ目の位置に、この設置寸法で、従来のレール▲６▼の継ぎ目連結方法を兼用した図１のような、一体化構造で局所サイドレール▲２▼を設置する。
【発明の効果】
【０００７】レールの継ぎ目の前後と継ぎ目を車輪▲１▼が通過する間、局所サイドレール▲２▼の傾斜▲４▼面上を車輪▲１▼のフランジ▲５▼が同区間を同時に並走すると共に、車輪▲１▼は片方の車輪と相俟ってフラットで継ぎ目を通過する。従って、車輪▲１▼が継ぎ目のレールに衝撃を与えることはなく、衝撃音の発生もない。
【図面の簡単な説明】
【０００８】
【図１】本方法の総合機構のイメージ断面図。
【符号の説明】
【０００９】▲１▼＝車輪。▲２▼＝局所サイドレール。▲３▼＝車輪のテーパー。▲４▼＝局所サイドレールの傾斜面。▲５▼＝車輪のフランジ。▲６▼＝レール。▲７▼＝継ぎ目の連結ボルト。▲８▼＝ナット。▲９▼＝継ぎ目の連結用プレート。▲１０▼＝スリッパ。
【図１】
2011190666.tif 000003
(57)【要約】      （修正有）【課題】子供用自転車、ベビーカー、車椅子遠心ブレーキを取り付けることにより、過剰速度を押さえ速度超過による下り坂での暴走を防ぐ。【解決手段】車輪のハブ部に歯車１が設置されている。フロントフォークには、ボールベアリングが固定されている。歯車１は、車輪の回転により動き、歯車２を回転させる。この歯車２に連動したシャフト４が遠心ブレーキ本体５のブレーキシューを回転させる。このブレーキシューは、回転の遠心力でひろがり、ドラムの側面に摩擦を生じさせ、速度超過による下り坂での暴走を防ぐことができる。【選択図】図１
2011190924.tif 000002
【特許請求の範囲】
【請求項１】
車輪に遠心ブレーキを設置したことを特徴とする子ども用自転車。
【請求項２】
車輪に遠心ブレーキを設置したことを特徴とするベビーカー。
【請求項３】
車輪に遠心ブレーキを設置したことを特徴とする車椅子。
【発明の詳細な説明】
【技術分野】
【０００１】  この発明は、子ども用自転車、ベビーカー、車椅子の過速度制御に関する。
【背景技術】
【０００２】  従来の子ども用自転車や、ベビーカー、車椅子には、車輪の回転を滑らかにするために、ボールベアリング等で構成されている。特に子ども用自転車では、よりスピードを得るために、変速機による速度調整機能も備わっている機種もある。これは、スピードを得るために開発されたものである。
【先行技術文献】
【特許文献】
【０００３】  特公昭６２−１３５３２    回転軸の遠心ブレーキ装置
軸には、取付軸を介してシューがピンにより取付けられている。シューは、円形外周を有する一対のものからなっている。シューの外方にはばねが設けてあリ、ばねの両端はシューに固定してある。これにより、軸の回転速度が一定以上になると、シューはばねに抗して外方に拡大しケーシングの内面を圧し、ブレーキ作用が生じる。
【発明の概要】
【発明が解決しようとする課題】
【０００４】  しかしながら、以上の技術によれば、下り坂では、加速度的に速度が上がり、制御が不能に陥ることもあった。これにより、下り坂では、制御不能は速度に至る場合もあり、重大な事故につながりかねない。
そこで、この発明は、過速度を自動制御することにより、安全な子ども用自転車、ベビーカー、車椅子を提供することを課題とする。
【課題を解決するための手段】
【０００５】  以上の課題を解決するために、請求項１の発明は、車輪に遠心ブレーキを装着したことを特徴とする子ども自転車である。また、請求項２の発明は、車輪に遠心ブレーキを装着したことを特徴とするベビーカーである。また請求項３の発明は、車輪に遠心ブレーキを装着したことを特徴とする車椅子である。
【発明の効果】
【０００６】  請求項１、請求項２、並びに請求項３の発明によれば、一定の速度を超過すると、遠心力の作用により、ブレーキが作動する。このため、加速度が付かず、一定の速度が保たれる。
【図面の簡単な説明】
【０００７】
【図１】この発明の一実施形態を示す斜視図である。
【図２】この発明の一実施形態を示す正面図である。
【発明を実施するための形態】
【０００８】  この発明の一実施形態を、図１、及び図２に示す。
車輪のハブ部に歯車１が設置されている。フロントフォークには、ボールベアリングが固定されている。歯車１は、車輪の回転により動き、歯車２を回転させる。この歯車２に連動したシャフトが遠心ブレーキ本体のブレーキシューを回転させる。このブレーキシューは、回転の遠心力でひろがり、ドラムの側面に摩擦を生じさせる。
【０００９】  この実施形態によれば、車輪のハブ部に設置された歯車１は、歯車２を回転させ、さらに、連動するシャフトにより、遠心ブレーキ内のブレーキシューを作動させる。したがって、ブレーキシューが回転することにより、遠心力が生じ、広がったブレーキシューが、ドラムの内面に摩擦を生じさせ制動をかける。
【００１０】    （他の実施形態）
図１の実施形態では、自転車用の超過速度自動制御装置であったが、他の実施形態では、ベビーカーや手動式の車椅子の車輪に設置するものでも良い。
【符号の説明】
【００１１】１  大歯車
２  小歯車
３  ボールベアリング
４  シャフト
５  遠心ブレーキ本体
【図１】
2011190924.tif 000003
【図２】
2011190924.tif 000004
(57)【要約】      （修正有）【課題】柑橘栽培で、結実させる為の摘果は必須である。摘果廃棄される未成熟青蜜柑に含まれる有効成分の抽出のためにエタノール抽出を行っているが、エタノールと青蜜柑中の有効成分を蒸留選択抽出する為、耐熱性に乏しい有効成分は熱破壊され抽出できない。柑橘栽培で摘果廃棄される未成熟青蜜柑に含まれる有効成分の有効利用技術を提供する。【解決手段】未成熟青蜜柑に含まれる有効成分を医薬剤、化粧剤、と食材に供するために、溶液抽出法に寄らずに、丸ごと青蜜柑果実を生のまま粉砕粒度数マイクロメータまで臼等で破砕粉砕し、さらに安息香酸塩で抗菌防腐処理した粉砕全青蜜柑果実。【選択図】なし【特許請求の範囲】
【請求項１】
丸ごと青蜜柑果実を生のまま粉砕粒度数マイクロメータまで臼等で破砕粉砕し、粉末液状化した粉砕全青蜜柑果実を食品添加物である安息香酸塩で抗菌防腐処理し、室温保存可能にし、青蜜柑本来の薬理作用多様成分や香料成分を損なわず完全な形で利用できる、青蜜柑生フルーツ薬理剤であり、粉砕粒度は適用例によって任意の大きさである薬理剤。
【請求項２】
化粧品組成物中に含有することを特徴とする請求項１により得られた粉末液状化した青蜜柑生フルーツ薬理剤。
【請求項３】
医薬品組成物中に含有することを特徴とする請求項１により得られた粉末液状化した青蜜柑生フルーツ薬理剤。
【請求項４】
食品組成物中に含有することを特徴とする請求項１により得られた粉末液状化した青蜜柑生フルーツ薬理剤。
【発明の詳細な説明】
【技術分野】
【０００１】
柑橘栽培で摘果廃棄される未成熟青蜜柑に含まれる有効成分の有効利用技術で、溶液抽出法による溶液混入を避け、加熱抽出法で失われる芳香成分も損なう事の無い、未成熟青蜜柑に含まれる有効成分の利用技術である。
【背景技術】
【０００２】
柑橘栽培で結実させる為の摘果は必須である。たとえば、鹿児島県で温州みかん、早生晩生あわせて約4万トンの収穫があり(Ｈ17年)、摘果廃棄される青蜜柑は収穫される温州蜜柑の約10分の1の4千トンである。収穫前に摘果される成熟前の青蜜柑に含まれるヘスペリジン（ビタミンＰ）は抗酸化作用があり、その他の薬理作用成分も多く、芳しい芳香成分もある。柑橘農家にとって、摘果廃棄される青蜜柑(約4千トン)の換金商品化技術が求められている。
【０００３】
現在、摘果青蜜柑有効成分の溶液抽出法として、n-ヘキサン、エーテル、アセトン、酢酸エチル、メタノール、エタノール、イソプロピルアルコール、ブタノール、1,3-ブチレングリコール、エチレングリコール、プロピレングリコール、グリセリン等を溶媒とする水溶液で、親油性の有効成分エキスを抽出し、医薬品化するやり方があり、青蜜柑を乾燥粉末化し、漢方薬としての利用法が考えられている。
【先行技術文献】
【特許文献】
【０００４】
【特許文献１】特許公開２００５−２７８６４０
【発明の概要】
【発明が解決しようとする課題】
【０００５】
特許文献1においてエタノール抽出を行っているが、エタノールと青蜜柑中の有効成分を蒸留選択抽出する為、耐熱性に乏しい有効成分は熱破壊され抽出できない。また、溶液抽出法による溶液混入を避け、薬理作用多様成分や芳香成分を完全に抽出利用できない。
【課題を解決するための手段】
【０００６】
丸ごと青蜜柑果実を生のまま粉砕粒度数マイクロメータまで臼等で破砕粉砕し、粉末液状化した粉砕全青蜜柑果実を食品添加物である安息香酸塩を抗菌防腐処理のため添加し、室温保存可能にし、青蜜柑本来の薬理作用多様成分や香料成分を損なわずに完全利用することを可能にした薬理剤と食材であり、粉砕粒度は適用例によって任意の大きさであるとする。
【発明の効果】
【０００７】
粉末液状化した粉砕全青蜜柑果実はビタミンPに象徴される薬理作用多様成分や芳香成分のような有効成分を完全に閉じこめており、化粧品添加物として、化粧クリーム、スキンローション、ヘヤートニック、シェービングクリーム添加剤とし、全身シャンプーと化粧固形石鹸に薬理作用とともにスクラブ剤として粒度径を荒くし、混合でき、入浴用剤としてそのまま利用できる。
【発明を実施するための形態】
【０００８】
以下、本発明の実施の形態として実施例を説明する。実施例はあくまで例であって、適用例はこの限りではない。
【実施例１】
【０００９】
青蜜柑生フルーツボディシャンプー実施例は株式会社グローエンジニヤリング製のRD1-15Gマルチミルで約２０マイクロメータ径に臼引きした粉末液状化した青蜜柑に、０．４重量％安息香酸Naを添加して均等に攪拌混合するようにし、薬理作用として抗酸化作用、抗アレルギー作用のある青蜜柑生フルーツ薬理剤を作り、液体石鹸に青蜜柑生フルーツ薬理剤を１０重量パーセント入れ、ボディシャンプーを構成した。
【実施例２】
【００１０】
青蜜柑生フルーツ浴用剤の実施例は実施例１の方法により得られた約１０マイクロメータ径の血行循環促進と抗アレルギー、抗酸化作用を持つ青蜜柑生フルーツ薬理剤を２００リットル風呂水に対して、不織布袋に５０グラム入れたうえ、防水袋（ビニール袋等）に入れて常温保存できるようにした。
【実施例３】
【００１１】
スキンクリームの実施例は実施例１の方法により得られた約１０マイクロメータ径以下の血行循環促進と抗アレルギー、抗酸化作用を持つ青蜜柑生フルーツ薬理剤を１０重量パーセント入れワセリンを基剤にグリセリン、オリーブ油、トレハロースと安息香酸で構成した。
【実施例４】
【００１２】
実施例１の方法で安息香酸の濃度を０．４％以下にした血行循環促進と抗アレルギー、抗酸化作用を持つ青蜜柑生フルーツ薬理剤に甘味料として砂糖、水あめ、もしくは蜂蜜を加え、生ジャムを構成した。
【実施例５】
【００１３】
実施例１の方法で得られた血行循環促進と抗アレルギー、抗酸化作用を持つ青蜜柑生フルーツ薬理剤を石鹸基材に１０％混合後乾燥させ、固形石鹸として洗顔石鹸を構成した。
【実施例６】
【００１４】
実施例１の方法で得られた血行循環促進と抗アレルギー、抗酸化作用を持つ青蜜柑生フルーツ薬理剤を不織布マスクに含浸させ、使用直前にαアルブチンを基剤とするアスコルビン酸溶液をマスクにスプレーして、美白マスクを構成した。
【実施例７】
【００１５】
実施例１の方法で得られた血行循環促進と抗アレルギー、抗酸化作用を持つ青蜜柑生フルーツ薬理剤を、アスコルビン酸、安息香酸塩の溶液に５％混ぜ、不織布マスクに含浸させ、ニキビ治療マスクを構成した。
【実施例８】
【００１６】
実施例１の方法で得られた血行循環促進と抗アレルギー、抗酸化作用を持つ青蜜柑生フルーツ薬理剤を、トレハロースを基材とするアスコルビン酸、安息香酸塩の溶液に５％混ぜ、不織布マスクに含浸させ、皺のたるみ治療マスクを構成した。
【産業上の利用可能性】
【００１７】
粉末液状化した粉砕全青蜜柑果実を食品添加物である安息香酸塩で抗菌防腐処理し、青蜜柑本来の薬理作用多様成分や香料成分を損なわずに完全利用でき、室温保存が可能であり、浴用剤、化粧品添加剤、医薬品や生ジャムに利用できる。